(57)【特許請求の範囲】
【請求項１】
イオン性有色化合物溶液に、所定割合のヘアを所定時間浸漬した後、該溶液の色調を、ヘアの損傷度に応じた色調を表示する標準色調サンプルの色調と、目視により比較するヘア損傷度の測定方法であって、前記イオン性有色化合物が、クマシーブリリアントブルー、ウラニンまたはローダミンＢであることを特徴とするヘア損傷度の測定方法。
【請求項２】
イオン性有色化合物溶液に、所定割合のヘアを所定時間浸漬した後、該溶液の吸光度を、ヘアの損傷度に応じた標準色調サンプル溶液の吸光度と比較するヘア損傷度の測定方法であって、前記イオン性有色化合物が、クマシーブリリアントブルー、ウラニンまたはローダミンＢであることを特徴とするヘア損傷度の測定方法。
【請求項３】
イオン性有色化合物溶液のpHが、ヘアの等電点以外のpHに調整されていることを特徴とする請求項１または２に記載の測定方法。
【請求項４】
イオン性有色化合物溶液入り透明容器と、ヘアの損傷度に応じた色調を表示する標準色調サンプルと、秤量器とを備えたヘア損傷度測定キットであって、前記イオン性有色化合物が、クマシーブリリアントブルー、ウラニンまたはローダミンＢであることを特徴とする、前記イオン性有色化合物溶液に、所定割合のヘアを所定時間浸漬した後、該溶液の色調を、前記標準色調サンプルの色調と、目視により比較するヘア損傷度の測定方法に用いられるヘア損傷度測定キット。
【発明の詳細な説明】
【０００１】
【発明の属する技術分野】
本発明は、毛髪、ペット毛などのヘア損傷度の程度を簡易な方法により、短時間で精度よく測定する方法およびそのキットに関する。
【０００２】
【従来の技術】
毛髪、ペット毛、羊毛などのヘア損傷度を正確に把握することが必要な場合がある。たとえば毛髪にパーマネントや染毛などの操作を行うに際しては、毛髪の損傷度を確認した後、損傷度に応じてこれらの操作条件を選択決定することが好ましい。
【０００３】
しかしながら、毛髪の損傷度の見分け方は、通常、毛髪の目視、手触りによる感触などもっぱら感覚にたよる以外に方法はなく、この方法で見分けるには、熟練を要し、美容師であっても所謂アシスタントクラスでは充分に判断することは難しく、所謂トップスタイリストなどの経験者の判断が必要となる。
このような問題点を解決するために、官能テストに代わる毛髪等の損傷度の測定方法として、毛髪を蛍光修飾後に紫外線を照射して観察する方法、毛髪を酵素に溶解した後減少した毛髪の重量により測定する方法、毛髪のアミノ酸を測定して判断する方法、毛髪の引っ張り試験による方法、あるいは直接毛髪の赤外線吸収を測定して判断する方法等が提案されているが、これらの方法はいずれも再現性に問題があったり、煩雑な操作を必要としたり、高価な器機を必要としたりして、精度よく手軽に測定する手段とはなり得ないものであった。また、毛髪に色素を吸着させる方法も考えられていたが、定量的に毛髪の損傷度を判定することが困難であり実用に至っていない。
【０００４】
【発明が解決しようとする課題】
本発明は、毛髪、ペット毛などのヘアの損傷度を簡易な方法により短時間に測定する方法およびそのために使用されるキットを提供するものである。
【０００５】
【課題を解決するための手段】
本発明者は、上記の課題を解決すべく種々検討した結果、イオン性有色化合物溶液にヘアを浸漬処理した場合には、所定時間後に、ヘア損傷度とヘアに吸着されるイオン性有色化合物の量との間に正比例の関係があることを見出し、またこの関係はヘアを短時間で処理した場合においても長時間処理した場合と同様に正確であることを見出して、本発明を完成させたものである。
【０００６】
すなわち、本発明は、イオン性有色化合物溶液に、該溶液に対して所定割合のヘアを所定時間浸漬した後、該溶液の色調を、ヘアの損傷度に応じた色調を表示する標準色調サンプルの色調と、目視により比較するか、または、該溶液の吸光度をヘアの損傷度に応じた標準色調サンプル溶液の吸光度と比較することにより、ヘア損傷度を測定する方法を提供するものである。また本発明は、該ヘア損傷度を測定するために用いられる、イオン性有色化合物入り透明容器と、ヘアの損傷度に応じた色調を表示する標準色調サンプルと、秤量器とを備えたヘア損傷度測定キットを提供するものである。
【０００７】
【発明の実施の形態】
以下、本発明についてさらに詳細に説明する。
本発明の方法によれば、毛髪、ペット毛などのヘアの損傷度、たとえばブリーチやパーマネントを０〜６回まで実施したヘアの損傷度について、短時間で正確に測定することができる。
【０００８】
本発明の測定の対象となるヘアは、特に限定されないが、毛髪、ペット毛、羊毛などが挙げられる。特に毛髪のパーマネントや染毛などの施術後に仕上げをした後に残存するであろうヘアの先端部分をサンプルとすることが好ましい。この部分が最も損傷が進んでおり、この部分のデータにより毛髪全般の損傷度を推定することが、最も合理的であるからである。
【０００９】
本発明の測定時において、サンプルとして使用されるヘアの量は、特に限定されないが、イオン性有色化合物溶液１mlに対してヘアの量が２０〜５０ｍｇであれば充分である。また、サンプルとして使用されるヘアの長さを１〜２ｃｍ程度にしておくと、イオン性有色化合物溶液に充分浸漬することができ、より正確なデータが得られるため好ましい。
【００１０】
本発明におけるイオン性有色化合物溶液は、ヘアの等電点（約pH4.5）以外のpHに調節されていることが好ましく、具体的には、前記イオン性有色化合物溶液はｐＨ調整用の酸またはアルカリを含有することが好ましい。このようなイオン性有色化合物溶液は、水溶液であることが好ましいが、イオン性有色化合物の水への溶解度が低い場合には、適宜あるいは少量の、たとえば2-メトキシエタノール、エタノール、アセトンなどの有機溶媒を、水と併用することができる。このような有機溶媒としては、特に、2-メトキシエタノールが好ましい。
【００１１】
本発明で用いられるイオン性有色化合物としては、たとえばパーマネントまたはブリーチなどの操作によってヘアに生じる損傷の程度に応じて、ヘアに対する吸着量が正比例の関係で変化するものが用いられる。
このようなイオン性有色化合物の例としては、アニオン性のものとしてクマシーブリリアントブルー（ＣＢＢ）、ブロムフェノールブルー（ＢＰＢ）、ウラニン、赤色１０５号（ローズベンガル）などが挙げられ、またカチオン性のものとしてローダミンＢ，ローダミン６Ｇなどが挙げられ、両イオン性のものとしてクチナシ青色素などが挙げられる。これらのうち、クマシーブリリアントブルー（ＣＢＢ）、ウラニン、ローダミンＢが好ましく、特にローダミンＢが好ましい。
【００１２】
また本発明では、上記イオン性有色化合物に限定されるものではなく、５,５−ジチオビス（２−ニトロ安息香酸）（ＤＴＮＢ）、硫酸銅、フェロセン誘導体などのイオン性有色化合物も使用することができる。
イオン性有色化合物溶液に含有される酸またはアルカリは、該溶液をヘアの等電点（約pH4.5）以外のpHに調整するためのものであり、具体的にはpH１〜１３までの間に調整し得る酸またはアルカリであれば有機物、無機物を問わず使用することができる。
【００１３】
イオン性有色化合物溶液は、試験管等の容器の１０〜７０％程度とすることが好ましく、具体的には１５ｍｌの試験管を用いた場合には４〜８ｍｌ程度（容器の約２５〜５５％）が好都合である。
ヘアが添加されたイオン性有色化合物溶液の入った試験管等の容器を、室温（例：約２５℃）から５０℃の間の一定温度に保ち、時々もしくは常時振とうしながら約１〜６０分間、好ましくは５〜４０分間放置した後、ヘアを除去して、得られた溶液の色調を、予め用意した標準色調サンプルの色調と比較することで、ヘアの損傷度を知ることができる。
【００１４】
ヘアの損傷は、たとえばヘアにパーマネント処理、染毛処理、ブリーチ処理した場合に生ずるほか、日光の紫外線に当たった場合、生活習慣の乱れ、ストレスなどにより生ずる。
本発明で用いられる標準色調サンプルは、ヘアの損傷度に応じた色調を表示するためのものである。イオン性有色化合物溶液に、損傷されたヘアを浸漬すると、イオン性有色化合物はヘアの損傷度に応じてヘアに吸着される。すなわち損傷度の大きいヘアをイオン性有色化合物中に浸漬すると、該化合物はヘアに多量に吸着され、該溶液は薄い色となり、一方損傷度の小さいヘアをイオン性有色化合物中に浸漬すると、該化合物はヘアに少量しか吸着されず、該溶液は濃い色となる。このような原理に基づいて、ヘアの損傷度に応じた色調を表示するための標準色調サンプルが調製される。なお、該標準色調サンプルは、標準色調を忠実に表わしたものであればその形態は問わず、溶液であっても、標準色調を印刷した印刷物であってもよい。
【００１５】
具体的には、毛髪にパーマネント処理を０回から６回繰り返してヘアに程度の異なる損傷度を与え、この損傷度の異なるヘアをそれぞれ前述したようにイオン性有色化合物溶液に浸漬して処理した後、毛髪を除去して、ヘアの損傷度に応じた色調を表示する標準色調サンプル溶液を調製することができる。
また上記のようにして得られた標準色調サンプルの色調を、紙などの上に忠実に再現して印刷標準色調サンプルとすることもできる。
【００１６】
さらに損傷度の低いヘアを用いて調製されたイオン性有色化合物溶液を、損傷度に比例するように段階的に薄めて標準色調サンプル溶液とすることもできる。
本発明におけるヘアにイオン性有色化合物を吸着せしめた後のイオン性有色化合物溶液は、目視による色調の比較以外に、該溶液の吸光度の測定によっても行うことができる。その場合の吸光度は１９０〜１０００ｎｍを測定するとよい。
本発明に使用するイオン性有色化合物溶液は、この波長領域に特異な波長を有するからである。
【００１７】
また、本発明では、ヘアの損傷度に応じてイオン性有色化合物がヘアに吸着されるため、この原理を利用して、ヘアへのイオン性有色化合物の吸着量（吸着度）を、たとえば色差計により直接測定し定量することなどによっても、ヘアの損傷度を判定することができる。特に、羊毛、ペット毛などの白色に近いヘアの場合にはこの方式は有用である。
【００１８】
本発明に係るヘア損傷度測定キットは、イオン性有色化合物溶液入り透明容器と、ヘアの損傷度に応じた色調を表示するための標準色調サンプルと、秤量器とを備えている。
該透明容器は、複数本入っていることが好ましい。また秤量器は簡易天秤であることが好ましい。
【００１９】
またイオン性有色化合物溶液と透明容器とを別々にしてキットを構成してもよい。
【００２０】
【実施例】
以下、実施例を挙げて本発明をさらに詳しく説明するが、本発明はこれらの実施例に限定されるものではない。
【００２１】
【実施例１】
標準色調の作製
ローダミンＢ１０．０ｍｇをイオン交換水に溶解し、酢酸でｐＨ２．９とした後、イオン交換水で１０００ｍｌとした。この水溶液を１．５ｍｌの透明マイクロチューブ（エッペンドルフチューブ）にそれぞれ１．０ｍｌづつ注入し、イオン性有色化合物溶液とした。
【００２２】
未処理毛および１、２、３、６回のパーマネント処理を行った各毛髪の先端部約５ｃｍをそれぞれ約１５０本切り取り、これをさらに２．０ｃｍに切りそろえた後、４０．０±０．３ｍｇを秤取して、上述のイオン性有色化合物溶液の入った各透明マイクロチューブに入れた。この各チューブを、湯煎で４０℃に保ちながら、時々緩やかに振とうしながら１５分間放置した後、試験管から毛髪を除去した。得られたイオン性有色化合物溶液そのものを標準色調とするとともに、その色調を着色料により正確に描き、印刷標準色調とした。その結果を表１に示す。
【００２３】
また、４４８ｎｍにおける吸光度を測定して標準色調表を作成した。その結果を表１に併せて示す。
【００２４】
【表１】
0004651839.tif 000002
【００２５】
毛髪損傷度の測定
被施術者の毛髪の先端約５．０ｃｍを約１５０本採取して、これをさらに２．０ｃｍに切りそろえた後、この中から４０．０±０．３ｍｇを秤取し、この毛髪を、イオン性有色化合物溶液で１５分間処理した。その後、毛髪を除去して得られた溶液をサンプルとした。これらの処理方法は、標準色調の作製時と同様に行った。
【００２６】
得られたサンプルの色調を目視で標準色調（イオン性有色化合物溶液）および印刷標準色調と比較した結果、パーマネント施術を3回行った毛髪に相当する毛髪損傷度に相当するものであった。
また、該サンプルの４４８ｎｍにおける吸光度は、１．４００であり、パーマネント施術３回の毛髪損傷度に相当した。
【００２７】
【実施例２】
標準色調の作製
ウラニン５００ｍｇをイオン交換水約１５ｍｌと２−メトキシエタノール３０ｍｌに溶解し、リン酸約２００μｌでｐＨ１．８とし、さらに、イオン交換水を加えて全量を５０ｍｌとした。この溶液５ｍｌを容量１５ｍｌの透明プラスチック試験管６本にそれぞれ入れ、イオン性有色化合物溶液とした。
【００２８】
未処理毛および１、２、３、６回のパーマネント処理を施した各毛髪の先端５ｃｍを切り取り、これをさらに２．０ｃｍに切り揃えた後、それぞれ２００ｍｇ秤取して、イオン性有色化合物溶液に入れた。この各試験管を湯煎で４０℃に保ちながら、１５分間放置後、試験管から毛髪を除去して、実施例１と同様に標準色調表を作製した。
毛髪損傷度の測定
約３０ｃｍのロングヘアの根元に近い部位および先端部位から得た、約２．０ｃｍに裁断した毛髪をそれぞれ２００ｍｇ秤取し、これらの毛髪をそれぞれ異なる上記イオン性有色化合物溶液に入れて、湯煎で４０℃に保ち、時々軽く振とうしながら１５分間放置した後、該溶液から毛髪を除いた。得られた溶液を、標準色調と比較したところ、根元に近い部位の毛髪は、未処理毛に相当するものであり、先端部位の毛髪は、ヘアのパーマネント処理を２回実施した損傷度に相当するものであった。
【００２９】
【実施例３】
クマシーブリリアントブルー（ＣＢＢ）溶液（Ｂｉｏ-Ｒａｄ  Ｐｒｏｔｅｉｎ  Ａｓｓａｙ，バイオラッド社製）５０ｍｌとイオン交換水１５０ｍｌを均一に溶解させた。この溶液は、ｐＨ１．５であった。
容量５０ｍｌの三角フラスコに上記のＣＢＢ溶液２０ｍｌずつを分注し、ここにパーマネント処理を０、１、２、３、６回施術した２×２ｃｍのＪＩＳ堅牢度試験用の羊毛布を入れて、時々穏やかに振とうしながら３０分間放置した。各試験管から羊毛布を除去し、着色された羊毛布の色調を忠実に再現して、標準色調表を得た。
【００３０】
試料の羊毛布を２×２ｃｍ採取して、上記の標準色調と同様に処理したところ、この羊毛はパーマネント処理３回と６回の中間の損傷度に相当するものであった。
【００３１】
【実施例４】
以下の（１）〜（３）のヘア損傷度の簡易測定用キットを作製した。
（１）実施例１と同様にして、イオン性有色化合物溶液の色調を転写して作成した印刷標準色調表                                                １部
（２）実施例１と同様に調製したイオン性有色化合物溶液１．０ｍｌ入り、容量１．５ｍｌの透明マイクロチューブ                              １０本
（３）ヘア秤量用天秤量り（１０、４０、２００ｍｇの分銅付き）    １組
【００３２】
【発明の効果】
本発明によれば、ヘアの損傷度を簡易な操作で、短時間で精度よく測定することが可能である。